(57)【要約】【課題】  ケース本体に貼付けた部材が剥離したり浮き上がってしまったりするのを防止することができる構造を有する携帯端末装置を提供する。【解決手段】  平面形状が略矩形状をしたケース本体３０と、該ケース本体３０の外面３０ｃを一端から他端にわたって覆うように接着シート３８，４０を介して貼付けられた板状体２８とを有し、板状体２８の一方の端部２８ａには係合爪４２を、他方の端部２８ｂには凸部４４をそれぞれ備えると共に、ケース本体３０の一方の端部３０ａには板状体２８の係合爪４２が係合する係合孔５２を、他方の端部３０ｂには板状体２８の凸部４４が遊嵌される凹部５４を設けるようにした。【選択図】      図７
2007036904.tif 000002
【特許請求の範囲】
【請求項１】
平面形状が略矩形状をしたケース本体と、該ケース本体の外面を一端から他端にわたって覆うように接着シートを介して貼付けられた板状体とを有し、
前記板状体の一方の端部には係合爪を、他方の端部には凸部をそれぞれ備えると共に、
前記ケース本体の一方の端部には前記板状体の係合爪が係合する係合孔を、他方の端部には前記板状体の凸部が遊嵌される凹部を設けた
ことを特徴とする携帯端末装置。
【請求項２】
前記接着シートは、前記板状体の凸部と前記ケース本体の凹部との間にも介在させてあることを特徴とする請求項１に記載の携帯端末装置。
【請求項３】
前記凹部の幅寸法は、前記凸部の厚さ寸法と前記接着シートの厚さ寸法を合計した長さよりも長くしてあることを特徴とする請求項２に記載の携帯端末装置。
【請求項４】
前記板状体は、複数のボスを有すると共に、前記ケース本体は前記外面に前記ボスが挿入されるボス孔を有することを特徴とする請求項１ないし３のいずれか一に記載の携帯端末装置。
【請求項５】
表示装置を有すると共に、
前記ケース本体は、前記外面に前記表示装置の表示面を露出させる表示窓を有し、
かつ前記板状体は透光性を有することを特徴とする請求項１ないし４のいずれか一に記載の携帯端末装置。
【請求項６】
前記ケース本体が、前記外面から突出する操作キーを露出させるキー孔を有すると共に、
前記板状体が、前記操作キーを露出させるキー孔を有することを特徴とする請求項１ないし５のいずれか一に記載の携帯端末装置。
【請求項７】
平面形状が略矩形状をしたケース本体と、該ケース本体の外面を一端から他端にわたって覆うように接着シートを介して貼付けられた板状体とを有する携帯端末装置の製造方法であって、
一方の端部に係合爪を、他方の端部に凸部をそれぞれ形成した板状体、又は一方の端部に係合孔を、他方の端部に凹部をそれぞれ形成したケース本体の外面に接着シートを貼付けるステップと、
前記板状体の係合爪を、前記ケース本体の係合孔に係合するステップと、
前記係合爪を前記係合孔に挿入した状態で前記板状体を前記ケース本体に倒し込み、板状体の凸部をケース本体の凹部内に遊嵌させて板状体とケース本体とを貼付けるステップと、
前記接着シートを乾燥させ、前記板状体と前記ケース本体とを接着するステップと
を含んでいることを特徴とする携帯端末装置の製造方法。
【発明の詳細な説明】
【技術分野】
【０００１】
本発明は、例えば携帯電話機等の携帯端末装置及びその製造方法に関し、詳しくはケース本体に他の部材を貼付けた構造の携帯端末装置及びその製造方法に関するものである。
【背景技術】
【０００２】
図１０は、従来の携帯電話機２を示す平面図である。この携帯電話機２は、そのケース本体４（筐体）に形成された表示窓６から外部に露出する液晶表示装置８の表示面８ａを保護するために、この表示面８ａと同じか又は若干大きいぐらいの大きさの平面形状を有する透明なガラス等のトリムプレート１０が、ケース本体４の表面に貼付けられて、液晶表示装置８の表示面８ａを覆うようになっていた（例えば、特許文献１参照）。
【０００３】
この携帯電話機２は、図１１に示すように、そのケース本体４に、トリムプレート１０の平面形状と同じ大きさの凹部１２が形成されており、この凹部１２の底板１２ａに、液晶表示装置８の表示面８ａを露出させるための表示窓６が形成されている。そして、この凹部１２の底板１２ａには、そのケース本体４の内部空間側に緩衝材１４が取り付けられ、液晶表示装置８の表示面８ａの縁部が、この緩衝材１４に当接するようになっている。
【０００４】
携帯電話機２は、トリムプレート１０が凹部１２内に貼付けられ、トリムプレート１０の外側の面が、ケース本体４の外側の面とほぼ同一面をなすように設定されていた。
【特許文献１】特開２００４−１１２３０５号公報
【発明の開示】
【発明が解決しようとする課題】
【０００５】
一方、携帯電話機等の携帯端末装置は、近時においてそのデザインが重要視されるようになってきており、前記特許文献１の携帯電話機２とは異なる他の携帯端末装置において、携帯電話機２のトリムプレート１０のような部材よりも、更に大きい部材をケース本体に貼りつけるようにしたデザインの実現が要請されている。しかしながら、ケース本体に貼付ける部材は、その大きさが大きいほどケース本体から剥離したり浮き上がってしまったりするおそれがあるという問題があった。
【０００６】
そこで本発明は、上記課題に鑑みて、ケース本体に貼付けた部材が剥離したり浮き上がってしまったりするのを防止することができる構造を有する携帯端末装置及びその製造方法を提供することを課題とするものである。
【課題を解決するための手段】
【０００７】
上記課題を解決するために、本発明による携帯端末装置は、
平面形状が略矩形状をしたケース本体と、該ケース本体の外面を一端から他端にわたって覆うように接着シートを介して貼付けられた板状体とを有し、
前記板状体の一方の端部には係合爪を、他方の端部には凸部をそれぞれ備えると共に、
前記ケース本体の一方の端部には前記板状体の係合爪が係合する係合孔を、他方の端部には前記板状体の凸部が遊嵌される凹部を設けたことを特徴とするものである。
【０００８】
また、本発明による携帯端末装置は、前記接着シートが、前記板状体の凸部と前記ケース本体の凹部との間にも介在させてあることを特徴とするものである。
【０００９】
また、本発明による携帯端末装置は、前記凹部の幅寸法が、前記凸部の厚さ寸法と前記接着シートの厚さ寸法を合計した長さよりも長くしてあることを特徴とするものである。
【００１０】
また、本発明による携帯端末装置は、前記板状体が、複数のボスを有すると共に、前記ケース本体は前記外面に前記ボスが挿入されるボス孔を有することを特徴とするものである。
【００１１】
また、本発明による携帯端末装置は、
表示装置を有すると共に、
前記ケース本体は、前記外面に前記表示装置の表示面を露出させる表示窓を有し、
かつ前記板状体は透光性を有することを特徴とするものである。
【００１２】
また、本発明による携帯端末装置は、
前記ケース本体が、前記外面から突出する操作キーを露出させるキー孔を有すると共に、
前記板状体が、前記操作キーを露出させるキー孔を有することを特徴とするものである。
【００１３】
また、上記課題を解決するために本発明は、
平面形状が略矩形状をしたケース本体と、該ケース本体の外面を一端から他端にわたって覆うように接着シートを介して貼付けられた板状体とを有する携帯端末装置の製造方法であって、
一方の端部に係合爪を、他方の端部に凸部をそれぞれ形成した板状体、又は一方の端部に係合孔を、他方の端部に凹部をそれぞれ形成したケース本体の外面に接着シートを貼付けるステップと、
前記板状体の係合爪を、前記ケース本体の係合孔に係合するステップと、
前記係合爪を前記係合孔に挿入した状態で前記板状体を前記ケース本体に倒し込み、板状体の凸部をケース本体の凹部内に遊嵌させて板状体とケース本体とを貼付けるステップと、
前記接着シートを乾燥させ、前記板状体と前記ケース本体とを接着するステップとを含んでいることを特徴とするものである。
【発明の効果】
【００１４】
このような本発明による携帯端末装置及びその製造方法によれば、デザイン性を高めることができると共に、ケース本体に貼付けた部材が剥離したり浮き上がってしまったりするのを防止することができる。
【発明を実施するための最良の形態】
【００１５】
以下、本発明に係る携帯端末装置及びその製造方法の実施の形態について、図面に基づいて具体的に説明する。
図１ないし図９は、本発明の一実施の形態に係るスライド型携帯電話機２０（携帯端末装置に相当）について説明するために参照する図である。
【００１６】
本実施の形態に係るスライド型携帯電話機２０は、図１及び図２に示すように、互いの厚さ方向に重なるよう配置されて連結される第１筐体２２と第２筐体２４とを備えている。第２筐体２４は、平面形状が略矩形状をなし、このスライド型携帯電話機２０の長さ方向（図１及び図２中の上下方向）の一方の端部にアンテナ２６を有している。第１筐体２２と第２筐体２４は、このスライド型携帯電話機２０の長さ方向に、一定長さだけ互いに逆方向にスライドさせることができるようになっている。
【００１７】
すなわち、スライド型携帯電話機２０は、図１及び図２に示すような状態から、第１筐体２２を第２筐体２４に対してアンテナ２６側に一定長さだけスライドさせることができるようになっている。そして、第１筐体２２をスライドさせると、図示しないが、第２筐体２４においてそのアンテナ２６とは反対側寄りに配設されて第１筐体２２に隠れていた、図示しないマイクロホン及びテンキーが露出して使用することができるようになっている。
【００１８】
図３は、図１中におけるＢ−Ｂ線矢視の第１筐体２２の内部構造を示す断面図である。第１筐体２２は、板状体２８、ケース本体３０、スピーカ３２、液晶表示装置３４、及び上下左右方向キー３６（操作キーに相当）を備えており、板状体２８は、接着シート３８，４０を介してケース本体３０に貼付けられている。
【００１９】
ここで図３中には図示していないが、スピーカ３２、液晶表示装置３４、及び上下左右方向キー３６と電気回線接続する基板、並びにケース本体３０の内部空間を閉止して第２筐体２４（図３中において不図示）に接する閉止部材等がケース本体３０内に配置されている。
【００２０】
板状体２８は、合成樹脂製であって透光性を有しているものである。また、板状体２８は、図４及び図５に示すように、その長さ方向（図中の上下方向）の一方の端部２８ａには２つの係合爪４２が設けられており、一方の端部２８ａとは反対側の他方の端部２８ｂには円弧状の凸部４４が設けられている。
【００２１】
係合爪４２は、図５に示すように、ケース本体３０側（図中右側）に突出して、その先端部に鉤状の引掛り部が形成されている。凸部４４は、ケース本体３０側に一定高さで突出するように形成されている。
【００２２】
板状体２８には、図４及び図５に示すように、ケース本体３０側（図４においては紙面に垂直方向の奥側、図５においては右側）に突出する円柱形状の複数のボス４６が形成されている。また、図４に示すように、この板状体２８の長さ方向における一方の端部２８ａ寄りの位置、及び他方の端部２８ｂ寄りの位置のそれぞれに、キー孔４８及びスピーカ用孔５０が形成されている。
【００２３】
キー孔４８は、上下左右方向キー３６のキートップ３６ａの平面形状（図１参照）に合わせて円形状に形成されており、板状体２８の厚さ方向においてケース本体３０側に近付くほどこの円の直径寸法が大きくなるように、内周面が傾斜して形成されている（図８参照）。
【００２４】
ケース本体３０は、図６に示すように、その平面方向（図において紙面と平行方向）の外形が略矩形状に形成されている。また、ケース本体３０は、その幅方向（図中の左右方向）の中間部分に、このケース本体３０の平面方向に平行な貼付け面３０ｃ（外面に相当）が形成されている。ここで、貼付け面３０ｃは、ケース本体３０の長さ方向（図中の上下方向）の中間位置に段差３０ｄを有し、単一の平面として形成されていないが、便宜上、貼付け面３０ｃと呼ぶこととする。
【００２５】
この貼付け面３０ｃは、その高さ（図６において紙面に垂直の奥行き方向）が、ケース本体３０の幅方向（図６中の左右方向）における貼付け面３０ｃの両外側部分より低く形成されている（図７参照）。板状体２８は、接着シート３８，４０を介してケース本体３０の貼付け面３０ｃに貼付けられる。
【００２６】
また、ケース本体３０には、図６に示すように、その長さ方向の一方の端部３０ａに、板状体２８の２つの係合爪４２のそれぞれと係合する係合孔５２が設けられていると共に、他方の端部３０ｂには、板状体２８の凸部４４が遊嵌する凹部５４が設けられている。
【００２７】
凹部５４は、板状体２８の凸部４４に対応して円弧状に形成されており、この円弧の円周方向に直角の幅寸法が、この凹部５４の任意の深さにおいて、この凹部５４に遊嵌する板状体２８の凸部４４の厚さ寸法と、接着シート４０の厚さ寸法とを合計した長さよりも、長くなるように形成されている（図９参照）。
【００２８】
また、図６に示すように、ケース本体３０には、図４に示す板状体２８の複数のボス４６のそれぞれの位置に対応して、このボス４６が挿入されるボス孔５６が形成されていると共に、同じく板状体２８のキー孔４８及びスピーカ用孔５０のそれぞれの位置に対応して、このキー孔４８及びスピーカ用孔５０のそれぞれと同じ大きさを有する、キー孔５８及びスピーカ用孔６０が形成されている。
【００２９】
また、ケース本体３０には、その長さ方向の中間位置に、図３に示す液晶表示装置３４の表示面３４ａを露出させるための矩形の表示窓６２が形成されている。したがって、液晶表示装置３４の表示面３４ａに表示される文字や画像等は、透光性を有する板状体２８を通して見ることができるようになっている。
【００３０】
また、ケース本体３０は、図３に示すように、その両端部３０ａ，３０ｂのそれぞれが、板状体２８の両端部２８ａ，２８ｂよりも外側に突出するように傾斜して形成されている。
【００３１】
次に、スライド型携帯電話機２０の製造方法について説明する。図７に示すように、スピーカ３２、液晶表示装置３４、及び上下左右方向キー３６、並びに不図示の基板や閉止部材等を、ケース本体３０内に組み込んだ後、板状体２８をケース本体３０の外側に貼付けるようにする。
【００３２】
板状体２８は、図３に示すように、接着シート３８，４０がケース本体３０の貼付け面３０ｃに貼付けられてから、この接着シート３８，４０を介してケース本体３０に貼付けるようになっている。接着シート３８，４０は、図示しないが、おおよそ段差３０ｄを境界とする貼付け面３０ｃの各領域の平面形状を投影させたような平面形状になっている。また、接着シート４０は、ケース本体３０の凹部５４に対応する端部４０ｂが折り曲げられて、この端部４０ｂが、凹部５４内に入り込んで貼り付くようになっている。
【００３３】
また、板状体２８をケース本体３０に貼付ける際には、図８に示すように、まず板状体２８の一端部２８ａの係合爪４２を、ケース本体３０の係合孔５２に挿入し、この係合爪４２を挿入した係合孔５２を支点として板状体２８をケース本体３０側に倒し込むようにする（図８中、矢印Ｅ）。
【００３４】
ここで、ケース本体３０のキー孔４８は、その内周面を傾斜させてあり、板状体２８をケース本体３０側に倒し込む際に、上下左右方向キー３６のキートップ３６ａに接触しないようになっているため、このキートップ３６ａを傷付けないようになっている。
【００３５】
また、板状体２８をケース本体３０に倒し込むと、図４に示す板状体２８のボス４６のそれぞれが、図６に示すケース本体３０の対応するボス孔５６に挿入され、板状体２８とケース本体３０の相対的な位置決めが行なわれる。
【００３６】
そして、板状体２８をケース本体３０側に倒し込んだ後は、図９に示すように、板状体２８の他端部２８ｂの凸部４４をケース本体３０の凹部５４内に遊嵌させて板状体２８とケース本体３０とを貼付けるようにする。板状体２８とケース本体３０とを貼付けた後は、接着シート３８，４０を乾燥させ、板状体２８とケース本体３０とを十分に接着させる。
【００３７】
このような本実施の形態に係るスライド型携帯電話機２及びその製造方法によれば、ケース本体３０の両端部３０ａ，３０ｂが、板状体２８の両端部２８ａ，２８ｂよりも外側に突出していると共に、板状体２８の係合爪４２がケース本体３０の係合孔５２と係合し、板状体２８の凸部４４がケース本体３０の凹部５４と遊嵌するため、本体ケース３０に貼付けた板状体２８が剥離したり浮き上がってしまったりするのを防止することができる。
【００３８】
また、本実施の形態に係るスライド型携帯電話機２０は、図９に示すように、板状体２８の凸部４４と、ケース本体３０の凹部５４とが、接着シート４０の端部４０ｂを介して貼付けられるため、板状体２８の剥離や浮き上がりの防止について、その確実性を向上させることができる。
【００３９】
また、本実施の形態に係るスライド型携帯電話機２は、図４及び図５に示すように板状体２８に複数のボス４６が形成され、図６に示すようにこのボス４６に対応するボス孔５６がケース本体３０に形成されているため、板状体２８をケース本体３０に貼り付ける際の位置決めを容易に行なうことができる。
【００４０】
なお、本実施の形態においては、図９に示すように、板状体２８の凸部４４と、ケース本体３０の凹部５４とが、接着シート４０の端部４０ｂを介して貼付けられていたが、接着シート４０がケース本体３０の凹部５４内に入り込まないようにして、板状体２８の凸部４４とケース本体３０の凹部５４が直接嵌合するようになっていてもよい。このような場合には、ケース本体３０の凹部５４の幅寸法は、板状体２８の凸部４４の厚さ寸法よりも大きくなっていればよく、接着シート４０の厚さを考慮する必要はない。
【００４１】
また、本実施の形態においてケース本体３０は、図６に示すように、貼付け面３０ｃに段差３０ｄを有するような構造になっていたが、ケース本体３０は、貼付け面３０ｃが単一平面であるような構造になっていてもよい。
【００４２】
また、本実施の形態においては、図４及び図５に示すように板状体２８に複数のボス４６を形成すると共に、図６に示すようにこのボス４６に対応するボス孔５６をケース本体３０に形成したが、板状体２８とケース本体３０との互いの位置決め精度を十分に確保することができる場合等には、ボス４６及びボス孔５６を設けなくてもよい。
【００４３】
また、本実施の形態において板状体２８は、接着シート３８，４０がケース本体３０に貼付けられてから、この接着シート３８，４０を介してケース本体３０に貼付けるようになっていたが、接着シート３８，４０を板状体２８に貼りつけてから、この板状体２８をケース本体３０に貼付けるようにしてもよい。
【００４４】
また、本実施の形態に係るスライド型携帯電話機２０は、液晶表示装置３４を備えるようになっていたが、この液晶表示装置３４を備えないようになっていてもよい。このような場合には、ケース本体３０に表示表示窓６２を形成しなくてもよく、板状体２８は透光性を有するものでなくてもよい。
【００４５】
また、本実施の形態に係るスライド型携帯電話機２０は、第１筐体２２に上下左右方向キー３６を備えるようになっていたが、第１筐体２２に上下左右方向キー３６を備えないようになっていてもよい。このような場合には、板状体２８及びケース本体３０にキー孔４８，５８を形成しないようにすることはいうまでもない。
【００４６】
また、本実施の形態においては、本発明をスライド型携帯電話機２０に適用した場合について説明したが、本発明は、例えば折畳み型携帯電話機やターン型携帯電話機等のような、他の種類の携帯電話機に適用してもよい。ここで、ターン型携帯電話機とは、２つの筐体が重ね合わされたときの互いの対向面に垂直な回動軸により、この２つの筐体の長さ方向の端部同士が連結されて、回動軸を中心にして、一方の筐体を他方の筐体に対し水平に回動させて開くことができる携帯電話機をいう。
【００４７】
また、本実施の形態においては、本発明を携帯電話機に適用した場合について説明したが、本発明は、携帯電話機以外の他の種類の携帯端末装置に適用してもよいことはいうまでもない。
【図面の簡単な説明】
【００４８】
【図１】本発明の一実施の形態に係るスライド型携帯電話機２０を示す平面図である。
【図２】本発明の一実施の形態に係るスライド型携帯電話機２０を示す側面図である。
【図３】図１中の第１筐体２２のＢ−Ｂ線矢視断面図である。
【図４】図３に示す板状体２８の平面図である。
【図５】図４示す板状体２８の側面図である。
【図６】図３に示すケース本体３０の平面図である。
【図７】図３に示す第１筐体２２の組立て前の状態を示す分解側面断面図である。
【図８】図３中のＣ部分の組立て時の状態を拡大した図であって、板状体２８、ケース本体３０、上下左右方向キー３６、及び接着シート３８，４０を示し、板状体２８の係合爪４２をケース本体３０の係合孔５２に挿入した状態を示す側面断面図である。
【図９】図３中のＤ部分の組立て時の状態を拡大した図であって、板状体２８、ケース本体３０、スピーカ３２、液晶表示装置３４、及び接着シート４０を示し、板状体２８の凸部４４をケース本体３０の凹部５４に遊嵌させた状態を示す側面断面図である。
【図１０】従来の携帯電話機２を示す平面図である。
【図１１】図１０中の携帯電話機２のＡ−Ａ線矢視断面図である。
【符号の説明】
【００４９】
２  携帯電話機
４  ケース本体
６  表示窓
８  液晶表示装置
８ａ  表示面
１０  トリムプレート
１２  凹部
１２ａ  底板
１４  緩衝材
２０  スライド型携帯電話機
２２  第１筐体
２４  第２筐体
２６  アンテナ
２８  板状体
２８ａ，２８ｂ  端部
３０  ケース本体
３０ａ，３０ｂ  端部
３０ｃ  貼付け面
３０ｄ  段差
３２  スピーカ
３４  液晶表示装置
３４ａ  表示面
３６  上下左右方向キー
３６ａ  キートップ
３８，４０  接着シート
４０ｂ  端部
４２  係合爪
４４  凸部
４６  ボス
４８  キー孔
５０  スピーカ用孔
５２  係合孔
５４  凹部
５６  ボス孔
５８  キー孔
６０  スピーカ用孔
６２  表示窓
【図１】
2007036904.tif 000003
【図２】
2007036904.tif 000004
【図３】
2007036904.tif 000005
【図４】
2007036904.tif 000006
【図５】
2007036904.tif 000007
【図６】
2007036904.tif 000008
【図７】
2007036904.tif 000009
【図８】
2007036904.tif 000010
【図９】
2007036904.tif 000011
【図１０】
2007036904.tif 000012
【図１１】
2007036904.tif 000013